(57)【特許請求の範囲】
【請求項１】
一端が閉止され他端開口部から内容物を詰納封止して包装体とする上下方向に延伸されたプラスチックフィルム製の包装袋において、前記開口部をシールして形成された手提げ部から包装体の肩部にかけて左右対称に傾斜する天面の領域に、前記手提げ部の横方向中央位置から前記肩部の両側部に向けて破断用のミシン目列を略山形状に形成し、このミシン目を破断して略三角形状に開封するようにし、
前記三角形状に列設された前記ミシン目を左右それぞれ複数域に区分し、前記手提げ部側から前記肩部にかけての各区分されたミシン目列が前記三角形の外方へ膨出する円弧状に形成され、前記手提げ部側が半径の小さい円弧に、肩部側になるにつれて半径の大きい円弧に形成されている
ことを特徴とする包装袋。
【請求項２】
前記包装袋は、長手方向両側を内方へ折り込んでガセットが形成され、包装袋の胴部が角形に膨出するようになされている請求項１記載の包装袋。
【請求項３】
前記円弧状のミシン目列は、その上半部が包装袋を構成するプラスチックフィルムの上下方向に走る延伸方向に交差する横方向成分とされ、下半部が前記延伸方向に略平行する縦方向成分とされている請求項１記載の包装袋。
【請求項４】
前記円弧状のミシン目列は、前記横方向成分域の切目を短く、切目間の間隔部を該切目より長く形成し、前記縦方向成分域の切目を横方向成分域の切目より長く、切目間の間隔部は前記横方向成分域の間隔部と略同長とされている請求項３記載の包装袋。
【請求項５】
前記円弧状ミシン目列の連設部分に位置するミシン目の切目は他の切目より長く形成されている請求項３または４記載の包装袋。
【請求項６】
前記各円弧状ミシン目の横方向成分域は切目長約１．５ｍｍ、間隔部長約３ｍｍとされ、縦方向成分域は切目長、間隔部長共に約２ｍｍとされている請求項４または５記載の包装袋。
【請求項７】
前記手提げ部に直近のミシン目列およびそれに連なる次位のミシン目列の横方向成分域は切目長約１．５ｍｍ、間隔部長約３ｍｍで５目とされ、縦方向成分域は切目長、間隔部長共に約２ｍｍで４目とされており、肩部に至るミシン目列は切目長、間隔部長共に約２ｍｍとされている請求項３〜６のいずれか１項記載の包装袋。
【請求項８】
前記円弧状ミシン目は第１、第２、第３の三段とされ、手提げ部に直近の第１ミシン目列の半径を約１８ｍｍ、これに連なる第２ミシン目列の半径を約４０ｍｍ、これに連なる第３のミシン目列の半径を約５０ｍｍとされている請求項３〜７のいずれか１項記載の包装袋。
【請求項９】
前記第３ミシン目列はその下端から包装体の胴部にかけて所要長さの縦方向のミシン目列が連設されている請求項３〜８のいずれか１項記載の包装袋。
【請求項１０】
前記包装体の内容物がロール型トイレットペーパーである請求項１〜９のいずれか１項記載の包装袋。
【発明の詳細な説明】
【技術分野】
【０００１】
本発明は包装袋に係り、なかでも複数個のロール型トイレットペーパーを段積みして包装するに最適な包装袋に関する。
【背景技術】
【０００２】
ロール型のトイレットペーパーは、通常１段４個並びの３段積み計１２個、または１段２個並びの３段積み計６個としてプラスチックフィルム製の袋に収納し、包装して販売に供されるようになされている。
【０００３】
上記包装は、一般に図９に示すように長手方向両側を内方へ折り込んでガセットａ，ａが形成された筒状のプラスチックフィルムｂの下端をヒートシールにより閉止して底部ｃとし、内部に所定個数のロール型トイレットペーパーｄ，ｄ…を収納したのち上端をヒートシールして偏平な手提げ部ｅを形成し、この手提げ部ｅに手指を掛けて持つための手掛け孔ｆ，ｆを打抜きにより形成し、手で提げて持てるようになされている。
【０００４】
しかして上記のようにして包装された包装形態は、図９からも分るように手提げ部ｅから袋の両肩部ｇ，ｇにかけて下り傾斜する天面部ｈ，ｈが形成される。
【０００５】
上記のように包装されているトイレットペーパーｄを取り出すときは、一般に前記手提げ部ｅの下端付近を鋏ｊやカッター等により切断して袋の上部を破ることによりトイレットペーパーｄを取り出すようにしている。
【０００６】
しかるに前記天面部ｈを切ってもガセットａ，ａが存在しているため１度で全開状態とすることが難しく、何度か切りひらかなければならず、そのため面倒な作業を強いられるばかりでなく、袋内に残っているトイレットペーパーｄを保管しておく際にも袋の上部が乱れた状態となってしまい、体裁よく包んで保管することができない。
【０００７】
また包装後、手で提げた際の袋の強度を保つため、袋を構成するフィルムに上下方向に延伸された延伸フィルムが用いられていると、開封時に横方向への切断がしにくく、一層開封作業が面倒に感じられることになる。
【０００８】
これらの点に関しては、ロール型トイレットペーパーの包装に限らず、類似形態の物品の包装についても同様なことが云える。
【特許文献１】特開２０００−１０９０９８
【発明の開示】
【発明が解決しようとする課題】
【０００９】
本発明は、上記のような形態の包装袋を開封して内容物を取り出す際の操作を手際よく行うことができながら袋としての強度を損うことのない包装袋を提供することを課題とする。
【課題を解決するための手段】
【００１０】
上記課題を解決する手段として本発明は、一端が閉止され他端開口部から内容物を詰納封止して包装体とする上下方向に延伸されたプラスチックフィルム製の包装袋において、前記開口部をシールして形成された手提げ部から包装体の肩部にかけて左右対称に傾斜する天面の領域に、前記手提げ部の横方向中央位置から前記肩部の両側部に向けて破断用のミシン目列を略山形状に形成し、このミシン目を破断して略三角形状に開封するようにしたことにある。
【００１１】
上記包装袋は、長手方向両側を内方へ折り込んだガセットを有する構成とし、包装袋の胴部が角形に膨出するようにすることが角張った内容物の包装に適するものとすることができる。
【００１２】
前記のように三角形状をなすように列設されたミシン目をそれぞれ複数域に区分し、前記手提げ部側から前記肩部にかけて各区分されたミシン目列を前記三角形の外方へ膨出する円弧状に形成してミシン目列の全長を実質的に長くし、前記手提げ部側が半径の小さい円弧に、肩部側になるにつれて半径の大きい円弧に形成することが好ましい。
【００１３】
上記円弧状のミシン目列は、その上半部を包装袋を構成するプラスチックフィルムの上下方向に走る延伸方向に交差する横方向成分とし、下半部を前記延伸方向に略平行する縦方向成分として、包装袋の切りにくい横方向へは切りやすく、切りやすい縦方向には強度劣化をきたさない構成とすることができる。
【００１４】
この点から、前記円弧状ミシン目列を、横方向成分域の切目を短く、切目間の間隔部を該切目よりも長く形成し、縦方向成分域の切目を横方向成分域の切目より長く、切目間の間隔部を前記横方向成分域の間隔部と略同長とすることが好ましい。
【００１５】
そして円弧状ミシン目列の連設部分に位置するミシン目の切目を他の切目より長く形成することが各円弧状ミシン目列を連続的に切り裂く際にスムーズに切り裂くことができるので好ましい。
【発明の効果】
【００１６】
本発明によれば、手提げ部に近い最上位置のミシン目列を手指により切り裂き、包装体の上部天面領域にある山形状をなす左右のミシン目を順次連続して破断することにより略三角形状に切り開かれるので、包装されている内容物の上部の包装体が大きく開放され、内容物の取り出しを容易に行うことができ、また必要量取り出したのちも略三角形状の切り裂き片がカバーの役目をして体裁を損うことなく保管しておくことができる。
【００１７】
上記包装袋の上下方向両側にガセットを形成すれば、ロール型のトイレットペーパーのように角張った内容物であっても整然と詰納することができる。
【００１８】
前記包装袋の天面領域に形成するミシン目列を複数段の円弧状ミシン目の連続により構成すれば、各円弧状ミシン目の上半部と下半部がそれぞれ横方向成分と縦方向成分とに分散されるので包装後外力等により切り裂かれることが防がれ、ミシン目列が手提げ部から包装体の肩部にかけて連続していても内容物の重量によって破断することが防がれる。
【００１９】
上記円弧状ミシン目の切目の長さと、切目間の間隔部の長さを選択することにより切りやすく切れにくい構造のミシン目とすることができる。
【００２０】
特にミシン目列を複数条の円弧状ミシン目列の連続によって構成することによりミシン目列の全長を実質的に長くすることができ、この点においても外力の要因により破断されにくいものとすることができる。
【００２１】
本発明は、一般の包装袋としても有効であるが、なかでもロール型トイレットペーパーを複数個段積み状に包装する包装袋として最適である。
【発明を実施するための最良の形態】
【００２２】
図１は本発明による包装袋の未使用時の正面図を、図２は図１のＹ−Ｙ線における略示断面図を示しており、この包装袋１はポリエチレン、塩ビ等の合成樹脂で連続的に製造される筒状のプラスチックフィルムから作成される。
【００２３】
このフィルムは、軸方向に延伸加工された延伸フィルムが用いられている。
【００２４】
上記筒状フィルムの軸方向両側部が内方へ折り込まれてガセット２，２とされ、１袋の長さ毎に溶断して包装袋１とされる。
【００２５】
その溶断時に一端がシールされて底部３とされ、他端は所要幅の手提げ部４として内容物詰納後シールされる。この手提げ部４には手指を掛けるための手掛け孔５，５が打ち抜きにより形成されている。
【００２６】
本発明においては、複数個のロール型トイレットペーパー等の内容物６を包装して包装体１Ａとしたとき前記手提げ部４から包装体１Ａの肩部７にかけて形成される傾斜した左右の天面領域８，８に破断用のミシン目列９，９が形成されている。
【００２７】
上記ミシン目列９，９は、前記手提げ部４の横方向中央位置から前記肩部７にかけて正面視山形状に形成され、これらミシン目列９，９により前記肩部７を底辺とする三角形状をなす切抜き片１０（図５示）が出来るようになっている。
【００２８】
上記天面領域８に破断用ミシン目列を形成する場合、図７に模式的に示すように、前記肩部７を底辺とする三角形状に形成すると三角形の高さＨは天面領域８の上下幅が定まっているがために大きくとることができず、それ故ミシン目列９，９の長さも短くなり、手提げ部４を持って吊り下げたときミシン目が破れやすくなり、またミシン目を破断して開封するときの開度が小さくなる。
【００２９】
そこで本発明では、図３、図６に説明図として示すように、ミシン目列９を複数（図示の例では３区域）に区分し、前記手提げ部４側から第１ミシン目列９１、第２ミシン目列９２、第３ミシン目列９３とし、各ミシン目列９１，９２，９３の上半部がフィルムの延伸方向と交差する横方向成分域Ａとされ、下半部が延伸方向の縦方向成分域Ｂとされていて、破断開封時に切りやすく、逆に包装体１Ａとして破れにくく、またミシン目列の実質的長さが長くなることにより丈夫な構成となっている点に特徴を有している。
【００３０】
上記の点をより効果的にするため、横方向成分域Ａの切目１１を短く、切目１１，１１間の間隔部１２を前記切目１１より長く形成し、縦方向成分域Ｂの切目１３は横方向成分域Ａの切目１１より長く、切目１３，１３間の間隔部１４は横方向成分域Ａの間隔部１２と略同長とされている。
【００３１】
これにより破断時は切りやすく、手提げ時には切れにくいという機能をよりよく達成することができる。
【００３２】
前記第１、第２、第３ミシン目列９１，９２，９３の連設部分に位置する切目は他の切目より長く形成されている。
【００３３】
前記第１〜第３ミシン目列９１，９２，９３の円弧の半径、切目および間隔部の長さと個数の具体例としては、ロール型トイレットペーパー１２個を段積み状として包装体１Ａとする場合、第１ミシン目列９１の半径Ｒ１＝１８ｍｍ、第２ミシン目列９２の半径Ｒ２＝４０ｍｍ、第３ミシン目列９３の半径Ｒ３＝５０ｍｍとされ、手提げ部４に直近の第１ミシン目列９１とこれに続く第２ミシン目列９２の横方向成分域Ａの切目長約１．５ｍｍ、間隔部長約３ｍｍで５目、縦方向成分域Ｂは切目長、間隔部長共に約２ｍｍで４目とされており、肩部７に至る第３ミシン目列９３は切目長、間隔部長共に約２ｍｍとされている。
【００３４】
この実施形態では、第３ミシン目列９３に包装体１Ａの胴部に跨るミシン目列９４が連設されており、一層大きく開封できるようになされている。
【００３５】
したがって包装袋１に内容物６を包装したのちは、手提げ部４の手提げ孔５，５に手指を掛けて持っても、各円弧状のミシン目列９１，９２，９３が横方向成分域と縦方向成分域とで構成されているので切れにくく、丈夫な包装袋１Ａとすることができる。
【００３６】
内容物６を取り出すときは、第１ミシン目列９１を破断し、引き続き第２ミシン目列９２、第３ミシン目列９３，９４に切り進めれば、図５に示すように切抜き片１０となってめくれ、内容物６を取り出すことができる。
【００３７】
上記ミシン目列は包装袋１の両面に形成されるので、いずれの天面領域８，８を開封することができ、必要により両面とも切り開くこともできる。
【図面の簡単な説明】
【００３８】
【図１】本発明による包装袋の一実施形態の未使用時の正面図。
【図２】図１のＹ−Ｙ線における略示断面図。
【図３】図１におけるミシン目列の一部を示す説明図。
【図４】図１の包装袋に内容物として１２個のロール型トイレットペーパーを包装して包装体とした状態を示す斜視図。
【図５】同、ミシン目列を破断して開封した状態を示す斜視図。
【図６】図１の包装袋に施したミシン目列の拡大説明図。
【図７】本発明におけるミシン目列の原理を説明するための説明図。
【図８】（Ａ）は円弧状ミシン目列の横方向成分域のミシン目を、（Ｂ）は同縦方向成分域のミシン目を示す説明図。
【図９】従来の包装袋でロール型トイレットペーパーを包装した包装体を示す斜視図。
【符号の説明】
【００３９】
１  本発明による包装袋
１Ａ  包装体
２  ガセット
３  底部
４  手提げ部
５  手掛け孔
６  内容物
７  包装体の肩部
８  天面領域
９（９１，９２，９３，９４）  ミシン目列
１０  切抜き片
１１，１３  切目
１２，１４  間隔部
Ａ  横方向成分域
Ｂ  縦方向成分域
【図１】
0005014913.tif 000002
【図２】
0005014913.tif 000003
【図３】
0005014913.tif 000004
【図４】
0005014913.tif 000005
【図５】
0005014913.tif 000006
【図６】
0005014913.tif 000007
【図７】
0005014913.tif 000008
【図８】
0005014913.tif 000009
【図９】
0005014913.tif 000010